(57)【要約】  いくつかの隣接スペクトルスロット上に構成された全体帯域幅を有する光信号を等化する方法であって、信号が、重なり合わない副搬送波信号のセットを含む、方法が提案される。少なくとも１つのスロットが２つ以上の副搬送波信号によって占有されるように、副搬送波信号がスロットに分配される。信号は、受信されて増幅される。副搬送波信号について、それぞれのパワーレベルが測定される。副搬送波信号のスペクトルスロットへの分配を示す分配データが提供される。スペクトルスロットについて、それぞれの所望のパワーレベルを示すパワーレベルデータが提供される。測定されたパワーレベル、分配データ、およびパワーレベルデータを用いることにより、スペクトルスロットについて、それぞれの減衰値が導出される。最後に、導出された減衰値を用いることにより、スペクトルスロットにおいて個々に、光伝送信号が減衰される。
2017510227.tif 000002
【特許請求の範囲】
【請求項１】
光伝送信号を等化する方法であって、
前記光伝送信号（ＳＵＣＨ）が、いくつかの隣接スペクトルスロット上に構成された全体帯域幅を有し、
前記光伝送信号（ＳＵＣＨ）が、重なり合わない副搬送波信号（ＳＣ１、ＳＣ２、ＳＣ３、ＳＣ４）のセットを含み、
少なくとも１つのスペクトルスロット（Ｓ４、Ｓ６、Ｓ８）が２つ以上の副搬送波信号によって占有されるように前記副搬送波信号（ＳＣ１、ＳＣ２、ＳＣ３、ＳＣ４）が前記スペクトルスロットに分配され、
ネットワークノード（ＯＮ）において、
−  前記光伝送信号を受信するステップと、
−  前記光伝送信号を増幅するステップと、
−  副搬送波信号について、それぞれのパワーレベルを測定するステップと、
−  前記副搬送波信号の前記スペクトルスロットへの前記分配を示す分配データを提供するステップと、
−  前記スペクトルスロットについて、それぞれの所望のパワーレベルを示すパワーレベルデータを提供するステップと、
−  測定したパワーレベル、前記分配データ、および前記パワーレベルデータを用いることにより、前記スペクトルスロットについて、それぞれの減衰値を導出するステップと、
−  導出した減衰値を用いることにより、前記スペクトルスロットにおいて個々に、前記光伝送信号を減衰するステップと、
を含む、方法。
【請求項２】
前記分配データが、副搬送波信号の各パワーレベルの前記スペクトルスロットへの所定の分配を示す、請求項１に記載の方法。
【請求項３】
前記光伝送信号（ＳＵＣＨ）が、前記副搬送波信号（ＳＣ１、ＳＣ２、ＳＣ３、ＳＣ４）により構成されたスーパーチャネル信号である、請求項１に記載の方法。
【請求項４】
前記スペクトルスロットが、それぞれ同じ帯域幅を有する、請求項１に記載の方法。
【請求項５】
光伝送信号を等化するネットワークノードであって、
前記光伝送信号（ＳＵＣＨ）が、いくつかの隣接スペクトルスロット上に構成された全体帯域幅を有し、
前記光伝送信号（ＳＵＣＨ）が、重なり合わない副搬送波信号（ＳＣ１、ＳＣ２、ＳＣ３、ＳＣ４）のセットを含み、
少なくとも１つのスペクトルスロット（Ｓ４、Ｓ６、Ｓ８）が２つ以上の副搬送波信号によって占有されるように前記副搬送波信号（ＳＣ１、ＳＣ２、ＳＣ３、ＳＣ４）が前記スペクトルスロットに分配され、ノードが、
−  前記光伝送信号を受信するように動作可能な光インターフェースと、
−  前記光伝送信号を増幅するように動作可能な光増幅器と、
−  副搬送波信号について、それぞれのパワーレベルを測定するように動作可能な光スペクトルアナライザ（ＯＳＡ）と、
−  前記副搬送波信号の前記スペクトルスロットへの前記分配を示す分配データを提供するように動作可能であり、さらに、前記スペクトルスロットについて、それぞれの所望のパワーレベルを示すパワーレベルデータを提供するように動作可能なネットワークインターフェース（ＮＩ）と、
−  測定されたパワーレベル、前記分配データ、および前記パワーレベルデータを用いることにより、前記スペクトルスロットについて、それぞれの減衰値を導出するように動作可能な制御ユニット（ＣＵ）と、
−  導出された減衰値を用いることにより、前記スペクトルスロットにおいて個々に、前記光伝送信号を減衰するように動作可能な１つまたは複数の減衰器（ＡＴＴ１、・・・、ＡＴＴＫ）と、
を備えた、ノード。
【請求項６】
前記分配データが、副搬送波信号の各パワーレベルの前記スペクトルスロットへの所定の分配を示す、請求項５に記載のノード。
【請求項７】
前記光伝送信号（ＳＵＣＨ）が、前記副搬送波信号（ＳＣ１、ＳＣ２、ＳＣ３、ＳＣ４）により構成されたスーパーチャネル信号である、請求項５に記載のノード。
【請求項８】
前記スペクトルスロットが、それぞれ同じ帯域幅を有する、請求項５に記載のノード。
【発明の詳細な説明】
【技術分野】
【０００１】
本発明は、光伝送信号を等化する方法および光伝送信号を等化する光ネットワークノードに関する。
【背景技術】
【０００２】
光データ伝送を目的として、光信号の位相および／または振幅が変調される場合がある。また、個別の次数を有する特定の変調方式に従って、個別の波長帯域幅を有する光搬送波信号が変調される場合がある。データトラヒックの増大に起因して、より高次の変調方式または変調フォーマットの使用により、所与の搬送波信号に対する情報輸送量を増加させる場合がある。受信側においてコヒーレント検出を用いるコヒーレントデータ伝送の導入により、多様な変調方式が利用可能となっている。送信側で変調された光搬送波信号は、受信光信号の波長に対応する局部発振器信号を用いたコヒーレント受信方式において、受信側で検出される。全体的なデータレートをさらに高くするため、偏光多重化等の他の多重化方法が用いられるようになっていてもよい。
【０００３】
コヒーレントデータ伝送の利点として、狭いスペクトル占有が実現されるように、複数の搬送波信号から成る光チャネルを作成可能である。フレックスグリッドと称するこのような技術において、光チャネルの間隔は、帯域幅が１２．５ＧＨｚのスペクトルスロットから成っていてもよく、たとえば５０ＧＨｚの全体スロットが、この全体スロットの帯域幅を利用する単一の光搬送波信号に対して確保されていてもよい。言い換えると、この技術によれば、光搬送波信号によって、１２．５ＧＨｚ以内のステップで変化する帯域幅が割り当てられていてもよい。
【０００４】
いわゆるフレックスグリッドソリューションの欠点として、この特定グリッドの特定間隔に準拠したフィルタリング装置が光ネットワークノードに必要となる。たとえば、挿入損失およびプロファイル鮮鋭度の観点から、３５ＧＨｚより狭い帯域幅のフィルタは十分な性能を示さない可能性があることを文献中のさまざまな研究が実証済みである。したがって、３５ＧＨｚより小さな帯域幅の個々の搬送波信号に個々の光学フィルタを適用するのは、煩雑となり得る。
【０００５】
図１は、スロットＳ１、・・・、Ｓ１２によって与えられるスロット間隔の波長ＷＬにおける２つの搬送波信号Ｃ１、Ｃ２のパワースペクトル密度ＰＳＤを示している。異なるスロットＳＬの帯域幅は、すべてのスロットについて等しい。２つの信号Ｃ１およびＣ２は、いわゆるスーパーチャネル信号を構成していてもよい。スーパーチャネル信号は、光ネットワークにおいて、好ましくは同じ光ファイバおよび同じ中間ネットワークノードの形態の同じ光リンクに沿って、同じ始点・送信ノードから同じ宛先ノードまで送信される信号である。
【０００６】
図１から明らかな通り、搬送波信号Ｃ１がその他任意の搬送波信号Ｃ２により占有されていないいくつかのスロットＳ１、・・・、Ｓ４に分配されるように、スロットＳ１、・・・、Ｓ１２への搬送波信号Ｃ１、Ｃ２の分配によって、いくつかの搬送波信号Ｃ１、Ｃ２により構成されるスーパーチャネル信号が与えられていてもよい。言い換えると、信号スロットＳ１、・・・、Ｓ１２が占有される搬送波信号は、たかだか１つである。
【０００７】
図１に示されるグリッドに関して、異なる搬送波信号Ｃ１およびＣ２は、ネットワークノードで受信された後、各スロット等化が搬送波信号のうちの１つにしか影響しない等化方法により、それぞれのパワーにおいて等化（たとえば、減衰）されるようになっていてもよい。
【発明の概要】
【課題を解決するための手段】
【０００８】
光伝送信号を等化する方法が提案される。光伝送信号は、いくつかの隣接スペクトルスロット上に構成された全体帯域幅を有する。光伝送信号は、重なり合わない副搬送波信号のセットを含み、少なくとも１つのスペクトルスロットが２つ以上の副搬送波信号によって占有されるように、副搬送波信号がスペクトルスロットに分配される。
【０００９】
この方法は、ネットワークノードで実行されるさまざまなステップを含む。
【００１０】
光伝送信号は、受信される。さらに、信号は、増幅される。
【００１１】
副搬送波信号について、それぞれのパワーレベルが測定される。
【００１２】
副搬送波信号のスペクトルスロットへの分配を示す分配データが提供される。
【００１３】
スペクトルスロットについて、それぞれの所望のパワーレベルを示すパワーレベルデータが提供される。
【００１４】
測定されたパワーレベル、分配データ、およびパワーレベルデータを用いることにより、スペクトルスロットについて、それぞれの減衰値が導出される。
【００１５】
最後に、導出された減衰値を用いることにより、スペクトルスロットにおいて個々に、光伝送信号が減衰される。
【００１６】
分配データは、副搬送波信号の各パワーレベルのスペクトルスロットへの所定の分配を示すのが好ましい。
【００１７】
光伝送信号は、副搬送波信号により構成されたスーパーチャネル信号であるのが好ましい。
【００１８】
スペクトルスロットは、それぞれ同じ帯域幅を有するのが好ましい。
【００１９】
さらに、光伝送信号を等化するネットワークノードが提案される。このノードは、
−  光伝送信号を受信するように動作可能な光インターフェースと、
−  光伝送信号を増幅するように動作可能な光増幅器と、
−  副搬送波信号について、それぞれのパワーレベルを測定するように動作可能な光スペクトルアナライザと、
−  副搬送波信号のスペクトルスロットへの分配を示す分配データを提供するように動作可能であり、さらに、スペクトルスロットについて、それぞれの所望のパワーレベルを示すパワーレベルデータを提供するように動作可能なネットワークインターフェースと、
−  測定されたパワーレベル、分配データ、およびパワーレベルデータを用いることにより、スペクトルスロットについて、それぞれの減衰値を導出するように動作可能な制御ユニットと、
−  導出された減衰値を用いることにより、スペクトルスロットにおいて個々に、光伝送信号を減衰するように動作可能な１つまたは複数の減衰器と、
を備える。
【図面の簡単な説明】
【００２０】
【図１】従来技術による搬送波信号のスペクトルスロットへの分配を示した図である。
【図２】提案方法による搬送波信号のスペクトルスロットへの分配を示した図である。
【図３】提案の光ネットワークノードを示した図である。
【図４】副搬送波信号のスペクトルスロットへの分配を示す分配データを決定するように動作可能であるとともに、スペクトルスロットについて、それぞれの所望のパワーレベルを示すパワーレベルデータを決定するように動作可能な提案の伝送光ネットワークノードを示した図である。
【発明を実施するための形態】
【００２１】
図１に関して上述した通り、従来技術は、スペクトルスロットが占有される副搬送波信号が、たかだか１つであるように、副搬送波信号Ｃ１、Ｃ２をスペクトルスロットＳ１、・・・、Ｓ１２に分配することを教示している。これは、いわゆるフレックスグリッド技術として知られている最先端の方法である。副搬送波信号Ｃ１、Ｃ２によって構成されたスーパーチャネル信号内の等化能力は、使用等化器のスペクトル幅の粒度によって決まる。現行の等化器は、スペクトル粒度がたとえば１２．５ＧＨｚの波長選択スイッチ（ＷＳＳ）の使用によって実現されている。
【００２２】
Ｃ１およびＣ２等の副搬送波信号に関して知られている等化方法は、スペクトルスロットが占有される副搬送波信号が、たかだか１つであるという前提に依拠する。
【００２３】
本明細書に提案の方法およびネットワークノードによれば、いくつかの副搬送波信号から成るスーパーチャネル信号を構成可能であり、副搬送波信号の帯域幅は、スロット帯域幅の整数倍である必要がなく、グリッドのスペクトルスロットは、２つ以上の搬送波信号により占有されていてもよい。これについては、以下により詳しく説明する。
【００２４】
図２は、スーパーチャネル信号ＳＵＣＨを構成する異なる副搬送波信号ＳＣ１、ＳＣ２、ＳＣ３、ＳＣ４の波長ＷＬにおけるパワースペクトル密度ＰＳＤを示している。スーパーチャネル信号の定義は、本願の背景の項における上記規定の通りである。
【００２５】
スロットＳ４、スロットＳ６、およびスロットＳ８等の異なるスロットが２つ以上の副搬送波信号によって占有されていることに留意する必要がある。図２に示されるように、搬送波信号ＳＣ１、・・・、ＳＣ４はそれぞれ、パワースペクトル密度ＰＳＤ１、・・・、ＰＳＤ４を有する。
【００２６】
本明細書に記載の提案方法によれば、中間ネットワークノードまたは送信ネットワークノードにおいて、異なる搬送波信号ＳＣ１、・・・、ＳＣ４を等化することができる。この等化方法は、各スロットＳ１、・・・、Ｓ１２について、それぞれの等化値をスーパーチャネル信号に適用することにより実行される。等化値は、減衰値であるのが好ましい。
【００２７】
異なる搬送波信号ＳＣ１、・・・、ＳＣ４は、同じ光リンクに沿って伝送されるスーパーチャネル信号ＳＵＣＨを構成するが、異なる搬送波信号ＳＣ１、・・・、ＳＣ４に影響する異なる光チャネル減衰の変動によって、パワー等化の観点での異なる搬送波信号の個別の等化が別々に必要となる場合がある。スーパーチャネル信号ＳＵＣＨを構成するすべてのスペクトルスロットについて同じ等化値を適用する等化では、不十分な可能性がある。
【００２８】
図２に示されるように、副搬送波信号ＳＣ１、・・・、ＳＣ４の異なるスロットＳ１、・・・、Ｓ１２への割り当ての選定は、２つの搬送波信号の同じスロットへの割り当て可能性と併せて、スーパーチャネル信号に沿ったスペクトル効率の最大化に有益となり得る。これにより、一意のチャネル間隔グリッドのスロットに対して、副搬送波信号を固定する必要がなくなる。異なる搬送波信号ＳＣ１、・・・、ＳＣ４がグリッド上で厳密には整列されていないという事実は、コヒーレント検出において問題ではない。コヒーレント検出では、対応する局部発振器信号を用いることにより、特定の副搬送波信号ＳＣ１、・・・、ＳＣ４を受信側で選択的に受信できるためである。
【００２９】
ここで、本明細書に記載の提案方法によれば、光領域における等化を実行可能であり、各スロットについて個々に、パワーの観点での受信光信号の測定の必要はなく、提案方法を実行するノードでの副搬送波信号ごとのパワー値の測定のみが必要である。
【００３０】
提案方法を実行するノードで把握の必要があるのは、副搬送波信号の測定パワー値、副搬送波信号のスペクトルスロットへの分配、および各スペクトルスロットの所望かつ所定のパワーレベルのみである。
【００３１】
搬送波信号ＳＣ１、・・・、ＳＣ４とスロットＳ１、・・・、Ｓ１２との間の関係は、以下のように記述可能である。
スーパーチャネル信号ＳＵＣＨは、いくつかの副搬送波信号ＳＣ１、・・・、ＳＣ４によって構成されており、それぞれの指数ｉは、以下の通りである。
ｉ＝１・・・Ｍ（たとえば、Ｍ＝４）
【００３２】
副搬送波信号ＳＣ１、・・・、ＳＣ４は、スペクトルスロットＳ１、・・・、Ｓ１２に分配されており、それぞれの指数ｊは、以下の通りである。
ｊ＝１・・・Ｎ（たとえば、Ｎ＝１２）
【００３３】
スペクトルスロットの帯域幅は、１２．５ＧＨｚが好ましい。
【００３４】
搬送波信号ＳＣ１のパワースペクトル密度ＰＳＤ１に沿った積分値を与えることによって、個別のパワー値Ｐ＿１が導出され得る。このため、各搬送波信号ＳＣ１、・・・、ＳＣ４の個別のパワー値Ｐ＿ｉを導出することにより、Ｍ×１のサイズのパワーレベルベクトル
【数１】
2017510227.tif 000003
が決定され得る。
【００３５】
同様に、スロットＳ１のパワースペクトル密度の積分を与えることによって、個別のパワーレベル値ＳＰ＿１が導出され得る。このため、各スロットパワー値ＳＰ＿１、・・・、ＳＰ＿１２の導出によって、Ｎ×１のサイズのパワーレベルベクトル
【数２】
2017510227.tif 000004
を決定可能であり、これは、スペクトルスロットＳ１、・・・、Ｓ１２について、それぞれのパワーレベルを示す。
【００３６】
係数ａｊ，ｉは、指数ｊのスロットに対する指数ｉの副搬送波のパワーの寄与を示す。このような分配係数は、Ｎ×Ｍのサイズの行列に集約可能である。
【数３】
2017510227.tif 000005
【００３７】
そして、副搬送波信号のパワーレベルと異なるスロットのパワーレベルとの間の関係は、以下の式によって与えられる。
【数４】
2017510227.tif 000006
【００３８】
図２に示される例では、この式を以下のように記述できる。
【数５】
2017510227.tif 000007
【００３９】
そして、指数ｊのスロット内のパワーＳＰ＿ｊは、以下のように与えられる。
【数６】
2017510227.tif 000008
【００４０】
スペクトルスロットが占有される搬送波信号がゼロ、１つだけ、または２つとなるように、搬送波ＳＣ１、・・・、ＳＣ４がスロットＳ１、・・・、Ｓ１２に分配される。たとえば、スロットＳ１が占有されるのは、搬送波信号ＳＣ１のみであるため、スロット１内のパワーは、以下のように与えられる。
ＳＰ１＝ａ１１・Ｐ１
【００４１】
スロットＳ４の場合は、搬送波信号ＳＣ１およびＳＣ２によって占有されるため、パワーレベルが以下のように決定される。
ＳＰ４＝ａ４１・Ｐ１＋ａ４２・Ｐ２
【００４２】
異なる搬送波信号のパワーレベル間の関係、異なるスロットのパワーレベル、および行列Ａを見ると、副搬送波信号の各パワーレベルのスペクトルスロットへの所定の分配を行列Ａが示していることが明らかとなる。
【００４３】
光ノードにおいて、光信号が受信されるとともに光増幅器を用いて増幅されるものと仮定すると、増幅器後の受信ノードにおいて、各搬送波ＳＣ１、・・・、ＳＣ４それぞれのパワーレベルが測定されるようになっていてもよい。また、各スロットについて、それぞれ所望のパワーレベルを与えるため、パワー減衰の観点から、各スペクトルスロット内の光信号への適用の必要がある各減衰値が決定されるようになっていてもよい。これは、副搬送波信号の各パワーレベルのスペクトルスロットへの所定の分配を示す分配データとしての行列Ａと併せて、スロットＳ１、・・・、Ｓ１２の所望のパワーレベルを示すパワーレベルデータを受信ノードに提供することによって実現可能である。
【００４４】
各所望のパワーレベルＳｄ＿ｉを示すパワーレベルデータは、以下のベクトルにより与えられていてもよい。
【数７】
2017510227.tif 000009
【００４５】
このパワーレベルデータおよび分配データはいずれも、搬送波信号パワーレベルのスロットへの分配を把握するとともに所望のパワーレベルを把握しているネットワーク管理インスタンス等のインスタンスから提供される。あるいは、このパワーレベルデータおよび分配データは、図４に関して以下に詳述する送信ネットワークノードによって決定される。
【００４６】
以下、図３に関して、ネットワークノードで光信号を等化する提案方法をより詳しく説明する。
【００４７】
図３は、ネットワークインターフェースＮＩを用いることにより、ネットワーク制御プレーンを介してネットワーク管理インスタンスと通信可能な制御ユニットＣＴＲＬを含む光ネットワークノードＯＮを示している。制御プレーンは、たとえばＧＭＰＬＳに基づいていてもよく、メッセージがＲＳＶＰまたはＯＳＰＦプロトコルを介して送信される。あるいは、ネットワーク制御プレーンは、ソフトウェア定義ネットワーク（ＳＤＮ）に基づく制御プレーンである。制御プレーンを介して、副搬送波信号のスペクトルスロットへの分配を示す分配データ（好ましくは、行列Ａの形態）がノードＯＮで受信される。さらには、スペクトルスロットについて、それぞれの所望のパワーレベルを示すパワーレベルデータ（好ましくは、ベクトルＳｄの形態）がインターフェースＮＩで受信される。
【００４８】
入力リンクＩＬ１、ＩＬ２を介して光信号が受信された後、出力リンクＯＬ１、ＯＬ２に切り替えられるようになっていてもよい。これは、出力リンクＯＬ１、ＯＬ２の各多重化装置ＭＵＸに接続されることになる各波長選択スイッチＷＳＳを各入力リンクＩＬ１、ＩＬ２で使用することにより実現される。これにより、光ノードＯＮは、光交差接続ノードを構成する。
【００４９】
入力リンクＩＬ１、ＩＬ２で受信された光信号は、各光増幅器ＡＭＰによって増幅された後、各波長選択スイッチＷＳＳに与えられる。増幅信号の一部は、タップカプラＴＣで取り出された後、好ましくは格子に基づく光スペクトルアナライザである光スペクトルアナライザＯＳＡに与えられる。アナライザＯＳＡは、制御装置ＣＴＲＬによって制御される。アナライザＯＳＡは、（たとえば、入力リンクＩＬ１で受信された）受信光信号について、スーパーチャネル信号を構成する各搬送波信号それぞれのパワーレベルＰｍ＿ｉを測定する。そして、これらのパワーレベルＰｍ＿ｉは、制御ユニットＣＴＲＬに与えられる。制御ユニットＣＴＲＬは、波長選択スイッチＷＳＳの減衰装置ＡＴＴ１、・・・、ＡＴＴＫを制御して、パワー減衰のための減衰値である各減衰値を適用する。減衰器の数Ｋは、スーパーチャネル信号を構成する搬送波信号が割り当てられる考え得るスペクトルスロットの数Ｎ以上であるのが好ましい。
【００５０】
各スペクトルスロットの異なる部分光信号は、波長選択スイッチＷＳＳにおいて、光スイッチＯＳにより多重化装置ＭＵＸの一方に切り替えられる。制御ユニットＣＴＲＬは、各搬送波信号ＳＣ１、・・・、ＳＣ４それぞれのパワーレベルＰｍ＿ｉを間近に測定したら、行列Ａによって与えられる副搬送波信号のスペクトルスロットへの分配を示す提供された分配データを使用する。さらに、制御ユニットＣＴＲＬは、スペクトルスロットについて、それぞれの所望のパワーレベルを示すパワーレベルデータ（好ましくは、ベクトルＳｄによって与えられる）を使用する。
【００５１】
副搬送波信号の各測定パワーレベルＰｍ＿ｉは、以下により与えられていてもよい。
【数８】
2017510227.tif 000010
【００５２】
測定パワーレベルおよび提供された分配データを用いることにより、制御ユニットＣＴＲＬは、以下のように、各スロットの測定パワーレベルＳ＿ｍを演算するようにしてもよい。
【数９】
2017510227.tif 000011
ただし、
【数１０】
2017510227.tif 000012
である。
【００５３】
指数ｊの各スロットの測定パワーＳｍ＿ｊは、異なる減衰効果および／またはスーパーチャネル信号が伝送される異なるトランスポンダを接続する光路の伝送特性の差異に起因して、所望または予想される対応パワーレベルＳｄ＿ｊと異なり得る。このような減衰は、ファイバおよび／またはコネクタの相違に起因する可能性がある。
【００５４】
スペクトルスロットについて、それぞれの所望のパワーレベルを示す提供されたパワーレベルデータＳｄを用いることにより、制御ユニットＣＴＲＬは、以下のように、減衰値Ｓ＿ｅｑを導出することができる。
【数１１】
2017510227.tif 000013
これは、以下による。
【数１２】
2017510227.tif 000014
【００５５】
本明細書において、演算「．／」は、要素ごとの除算を表す。
【００５６】
言い換えると、スペクトルスロットのパワーレベルデータＳｄと併せて、測定パワーレベルＰｍ＿ｉおよび分配データＡを用いることにより、減衰値Ｓ＿ｅｑが導出される。
【００５７】
得られた減衰値Ｓ＿ｅｑを適用することにより、制御ユニットＣＴＲＬによるこれらの値の使用によって、波長選択スイッチＷＳＳの減衰器ＡＴＴ１、・・・、ＡＴＴＫ内の対応する等化値を設定するようにしてもよい。言い換えると、導出された減衰値Ｓｅｑを用いることにより、スペクトルスロットにおいて個々に、光伝送信号が減衰される。
【００５８】
光減衰器ＡＭＰは、波長選択スイッチＷＳＳおよびアナライザＯＳＡの前ではなく、ノードＯＮの出力ポートに配置されるのが好ましく、増幅器の利得値は、減衰器ＡＴＴ１、・・・、ＡＴＴＫの減衰値の導出において考慮される。
【００５９】
本明細書において上述した通り、異なる副搬送波信号のスペクトルスロットへの分配を示す分配データである行列ＡおよびベクトルＳｄによって与えられる所望のパワーレベルデータは、本質的に把握可能であることを前提としている。ここで、図４に関して、分配データおよびパワーレベルデータを決定するように動作可能なネットワークノードＯＮ１について説明する。ノードＯＮ１は、送信ネットワークノードであってもよい。
【００６０】
ノードＯＮ１は、図２のスーパーチャネル信号ＳＵＣＨを生成するとともに、さらに、分配データである行列Ａと、スペクトルスロットについて、それぞれの所望のパワーレベルを示すパワーレベルデータであるベクトルＳｄとを導出することができる。
【００６１】
必要な分配データおよびパワーレベルデータを導出するため、ノードＯＮ１は、以下のステップを実行する制御ユニットＣＵを有する。
【００６２】
制御ユニットＣＵは、各送信機ＴＸ１、・・・、ＴＸ４に対して、図２に示される搬送波信号ＳＣ１、・・・、ＳＣ４を生成するように指示するが、各目標パワーレベルＰ＿Ａは、以下のように与えられる。
【数１３】
2017510227.tif 000015
【００６３】
タップカプラＴＣを介して、アナライザＯＳＡは、図２に示されるように、異なるスロットＳ１、・・・、Ｓ１２について、それぞれのパワーレベルＳ＿Ａを以下のように測定する。
【数１４】
2017510227.tif 000016
【００６４】
次にステップにおいて、パワーレベルＰ＿Ｂは、以下のように設定される。
【数１５】
2017510227.tif 000017
ただし、１つまたは複数のパワーレベルＰＢ＿ｉが変化するため、ベクトルＰ＿Ｂは、ベクトルＰ＿Ａの線形結合ではない。
【００６５】
パワーレベルをＰ＿Ｂに設定した後、アナライザＯＳＡは、異なるスロットについて、それぞれのパワーレベルＳ＿Ｂを以下のように測定する。
【数１６】
2017510227.tif 000018
【００６６】
選定されたパワーレベルＰ＿ＡおよびＰ＿Ｂは、以下のような関係になる。
【数１７】
2017510227.tif 000019
ただし、これによって、２Ｎ個の線形独立方程式のセットが与えられる。１つのスペクトルスロットが占有される搬送波信号が、たかだか２つであるという事実により、決定の必要がある未知の係数ａｊ，ｉの数は、最大でも２Ｎ個である。このため、得られた２Ｎ個の線形独立方程式によって、最大２Ｎ個の未知の係数ａｊ，ｉを決定することができる。したがって、副搬送波信号のスペクトルスロットへの分配を示す分配データとしての行列Ａを決定可能である。
【００６７】
分配データとしての行列Ａおよび所望のパワーレベルデータとしてのベクトルＳ＿Ａを決定した後、これら２つのデータ集合は、上述のネットワーク管理インターフェースＮＭＩを介して、ネットワーク管理制御プレーンに沿ってネットワーク管理インスタンスまたは図３に示されるノード等のネットワークの他のノードに分配可能である。
【００６８】
本明細書に提案の方法によれば、図２に示されるように、スーパーチャネル信号ＳＵＣＨの異なる搬送波信号ＳＣ１、・・・、ＳＣ４を等化可能であることに留意するものとする。その後、異なるスーパーチャネル間のパワーレベルを等化する別途ステップが続くようになっていてもよい。各ノードにおいて仕様が同じ装置により絶対パワー校正および減衰が行われる装置によって、本明細書に記載のパワー測定が実行される場合は、スーパーチャネル信号内の上記副搬送波等化ステップのみで、同じく絶対パワーでのスーパーチャネル全体の等化に十分となる。ただし、実際のシステムでは当てはまらない場合がある。異なるノードのアナライザＯＳＡが絶対的に校正されない場合があり、異なる波長選択スイッチが異なる仕様を有する場合がある。したがって、スーパーチャネル信号の総パワーは、すぐに使える予想パワーと異なる場合がある。このため、異なるスーパーチャネル信号間の絶対パワーの等化が必要になる場合がある。
【００６９】
「プロセッサ」または「制御ユニット」という名称または標識の任意の機能ブロック等、図３および図４に示されるさまざまな要素の機能は、専用ハードウェアのほか、適当なソフトウェアに関連してソフトウェアを実行可能なハードウェアの使用により提供されていてもよい。プロセッサによる提供の場合、当該機能は、単一の専用プロセッサ、単一の共有プロセッサ、または一部が共有され得る複数の個別プロセッサにより提供されていてもよい。さらに、用語「プロセッサ」または「制御装置」の明確な使用は、ソフトウェアを実行可能なハードウェアを排他的に表すものとは解釈されないものとし、デジタルシグナルプロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するリードオンリーメモリ（ＲＯＭ）、ランダムアクセスメモリ（ＲＡＭ）、および不揮発性ストレージを黙示的に含んでいてもよいが、これらに限定されない。また、他の従来および／またはカスタムのハードウェハが含まれていてもよい。当業者には当然のことながら、本明細書の如何なるブロック図も、本発明の原理を具現化した例示的な回路の概念図を表している。
【図１】
2017510227.tif 000020
【図２】
2017510227.tif 000021
【図３】
2017510227.tif 000022
【図４】
2017510227.tif 000023
【国際調査報告】
2017510227.tif 000024
2017510227.tif 000025
2017510227.tif 000026